(57)【要約】      （修正有）【課題】ソフトクリームやアイスクリームあるいはジェラートなどが溶けて垂れてきた時に、手や衣服を汚さないよう垂れを防止できる受け皿を提供する。【解決手段】あまり厚すぎない厚紙に折れ線やミシン目、切り込みを入れ山折、谷折に折り曲げ立体的な器を形成し、中央の穴にコーン２の下から穴に通し器が止まる位置まで差し込みソフトクリームコーンについているコーンスリーブ３（薄紙）とピッタリと接触させコーンに取り付ける。器がコーン２又はコーンスリーブ３に密度に接触した位置で溶けて垂れてきたクリームを受け止め手や衣服を汚さない様にする事で解決の手段とする。【選択図】図１
0003136312.tif 000002
【実用新案登録請求の範囲】
【請求項１】
ソフトクリームやアイスクリームあるいはジェラートなどのコーンを保持し、溶け垂れてきたクリームを受け止める受け皿であって、受け皿の中心部には、コーンの上面開口径より小さめに形成して開口穴を作り、コーンを開口穴の上から通し受け皿と密度に接触するところで垂れを受け止める受け皿。
【請求項２】
請求項１に記載の受け皿であって、受け皿の中心の開口穴を基準とし、外周へ向かう多角形の折り曲げ部により上方に傾斜面を形成してクリームが垂れ落ちない構造としてあることを特徴とする垂れ防止受け皿。
【請求項３】
請求項１に記載の受け皿であって、形は円形に限らず三角や四角又は動物や乗り物、キャラクターなどの形が可能であり、絵や写真なども印刷することができ音楽や映画、スポーツ、店の宣伝など広告を載せることができる受け皿。
【考案の詳細な説明】
【技術分野】
【０００１】本考案は、ソフトクリームや、アイスクリーム、ジェラートなどを手に持っている時にクリームが溶けだして垂れてくるのを受け止め、手や衣服を汚さないために取り付ける垂れ防止受け皿に関する。
【背景技術】
【０００２】従来、様々な垂れ防止器具が開発されているが、全体的に実用性が無いためほとんど使用されていない。
なお、関連技術に下記物件がある。
【特許文献１】実開平５−５８６４１号の公報
【特許文献２】昭和６２−４０９３６号の公報
【特許文献３】特開２００１−３１１７９号の公報
【特許文献４】特開２００５−２０４６３６号の公報
【０００３】（特許文献１）は、ソフトクリーム等を食べているときに、垂れてきたクリームで手や衣類を汚さない様にコーンスリーブの上部に受け皿を取り付ける。Ｃ状にカットされた受け皿の両端部分をのり付けしスカート状になった受け皿をコーンに取り付ける。コーンとの接触部分には切り込みを設けコーンと密着させ使用する。【０００４】（特許文献２）は、紙葉の中央部よりその外縁方向に向けて放射状に複数の切り込みを儲け、該放射状の切り込みによって複数の差込み片を形成し、該差込み片をコーン状の容器とその外周にとりつけたコーンスリーブとの間に挿着することで前記容器の外周に垂れ受け部を形成し得るようにしたことを特徴とする。【０００５】（特許文献３）は、アイスクリーム・コーン・ホルダーおよび敵収集装置が、開口上方端部を有するスリーブに滴収集器が取り付けられ、スリーブの開口上方端部の外縁から下方向に伸長する内部壁を含む。外部壁がスペーサー壁により内部壁から分離されることができ、内部壁、外部壁およびスペーサー壁が、滴収集器を形成する。滴収集器がスリーブの開口上方端部のところでスリーブに取り付けられ、垂直平面に対して平行な表面がないため、複数の装置を他の物の頂部に積み重ねて、高密度で包装することができる装置。【０００６】（特許文献４）中央部にクロス切り込みをいれ近辺に盛り上がりのある底の浅い容器をシリコンゴム、ゴム、紙、プラスチック等で加工する容器。
【考案の開示】
【考案が解決しようとする課題】
【０００７】以上に述べた、従来の垂れ防止受け皿やコーンホルダーでは、特許文献１〜４に述べた様に、コーンに受け皿を取り付ける部分が放射上に切り込みが入り、またクロスの切り込みが入っていたりと上手く取り付けないと隙間からこぼれてきてしまうという欠点がある。【０００８】また、コーンに対して受け皿が傾斜して取り付けられるので、溶け落ち溜まったクリームが、更に持っている手の方向に向かって垂れ落ちてしまう。【０００９】これまでに、様々なコーンホルダーや垂れ防止器具が開発されているが、従来技術の垂れ防止器具は、やや扱いにくく、受け皿は工場などで円錐台形状の形や立体的な形に加工された商品でコスト的にもかなり高めになってしまうし、なんといっても保管場所を取りすぎてしまう。特許文献３の滴収集装置でもコーンと同様に立体的な物を積み重ねるためやはり場所を取ってしまう。この様に、全体的に実用性がなく、まったく知れ渡っていなく使用されていない。【００１０】本考案では上記問題を、より簡単に、コストもかけず、より実用性を第１とすることを目的とするものである。
【課題を解決するための手段】
【００１１】本考案は上記課題を解決するために、ソフトクリームやアイスクリーム、ジェラートなどのコーンに対し、これを支える垂れ防止受け皿は、中心部にコーンの上面開口径より小さめに形成して開口穴を作ると共に、垂れ防止受け皿はどのようなものも外周へ向う多角形の折り曲げ部により上方に傾斜面を形成してクリームが垂れ落ちない構造とし、また平面状の物から、簡単に折り曲げることによって立体的な様々な形の受け皿が形成できることを特徴とする垂れ防止受け皿。
これを提供することで解決の手段とする。
【考案の効果】
【００１２】本考案は上記構成から成るので以下に示す効果が期待できる。
１・小さい子供から大人まで、暑い日にソフトクリームを食べ、食べるのがうまい下手に関係なく暑さで容赦なく溶けてくるクリームを手や衣類を汚す前に確実にキャッチしてくれる。
２・車の中、ショーやスポーツ観戦、乗り物等の順番待ち、屋外レジャーにはこの受け皿があるだけで、多少垂れてきても安心しながらソフトクリームを食べる事が出来る。
３・受け皿の表面には、企業やお店、地域などが様々な宣伝広告を載せることができ経済効果も上がる。
４・ソフトクリームには、今までに無いサービスが可能になる。例えば当たりくじ付きにしたり、何枚か集めて応募する応募券など器に印刷することができる。
５・また、器を捨てるときにもコーンスリーブと密度に接触するため、器の上に垂れたクリームを触らずに中のコーンだけを取り除く事ができる。そして、スリーブと器だけをより衛生的に捨てることができる。
【考案を実施するための最良の形態】
【００１３】本考案に係わる垂れ防止受け皿１は、図１に示す様にソフトクリームコーン２とコーンスリーブ３に取り付け使用した状態の平面図である。この様に、コーンスリーブ付きのコーンに関してはよりこの受け皿が効果的であり、コーンスリーブ上面開口径より少し下がった位置に受け皿が密度に接触するため垂れ落ちたクリームを触らずに、図２の取り付けた時と同じ状態の形で、コーンだけを抜き取り受け皿とコーンスリーブだけをより衛生的に捨てることができる。【００１４】図３は、器になる前の状態の平面図。あまり厚すぎない食品用の円形状の厚紙に、コーンが上から入れられる用に穴６を開け、その穴を基準とし円形を３分の１ぐらいにした位置に折り目４を引き穴の向こう側にも平行線に折り目４を引く。また天地にも同様に円形を３分の１ぐらいにした位置に折り目４を引き穴の向こう側にも平行線に折り目４を引く。折り目４はすべて谷折にする。折り目４が４本引かれ折り目が交差する位置より円形の外側に向かって４５度方向にミシン目５を引く、ミシン目は交差する位置より４ヶ所にいれ山折にする。この様に山折谷折に折り曲げることで平面の状態から図５・６のように立体的な器が形成される。この平面の状態で輸送や保管ができるため、あまり場所もとらずより経済的な形でお店などに提供できる状態の平面図である。【００１５】図４は、図３と同様に円形状の厚紙にコーンが入る様に穴６を開け、垂れてきたクリームが更に器の上から垂れ落ちないように八角形に折れ線４を引き、谷折に曲げる。折り曲げる際にきっちりと壁ができるように切り込み８を入れ折り曲げやすくし、クリームが垂れるのを防止できるような高さの壁を形成することのできる受け皿の平面図である。【００１６】図５は、図３で示した折り目（谷折り）４、ミシン目（山折り）５を実際に折り曲げ立体的な受け皿にした斜視図。図６も図３同様に折り目（谷折り）４を曲げて立体的にした受け皿の斜視図。この様に折れ線の位置やミシン目の位置切込みを入れるなどによって様々な形の受け皿が考えられる。また図３や図５が示すコーンの入る穴６を基準にすれば、廻り７は円形に係わらず多彩な形でも対応できる受け皿である。【００１７】図２は、コーン２をコーンスリーブ３に入れた、今現在、販売店などで売られているソフトクリームやアイスクリームなどの姿である。それに本考案の受け皿１の穴６にコーンスリーブ付きのコーンをいれる順序を示した展開図である。この様に折って差し込むだけという極めて簡単な動作だけで、小さな子供から大人までより多くの人に安心して、楽しくソフトクリームを食べてもらえるように、考案した受け皿である。【００１８】図７は、円形に係わらず三角や四角などの形をした斜視図である。図７の三角形は、中心の穴６を基準とし、垂れてきたクリームが更に垂れ落ちない様に折れ線４を三角形の内側に壁の高さが作れるくらいの位置に引き谷折に折り曲げ立体的にした形で垂れを防止する受け皿である。また、四角形も同様に穴６を基準とし四角形のはじから少し中に入ったところに折れ線４を引き壁が形成される様に谷折に折り曲げクリームが更に垂れ落ちないように立体的な形で使用する受け皿である。【００１９】図８は穴６を基準とし、動物・乗り物・キャラクター・食べ物・のように形にできる物、すべてが折り曲げや切り込み、貼り付けなどの方法により考案し形成できる受け皿の１例図である。
【産業上の利用可能性】
【００２０】この考案は、ソフトクリームを食す時に関する器具である。
【図面の簡単な説明】
【００２１】
【図１】本考案に係わるソフトクリーム垂れ防止受け皿をソフトクリームコーンに取り付けた状態の正面図である。
【図２】コーン２に、スリーブ３を通し本考案の受け皿１を、コーンから順番に通した展開図。
【図３】図１の平面図（棒線が谷折り、点線が山折り）。
【図４】形の違うタイプの受け皿の平面図（棒線谷折り）。
【図５】図３を実際に折り曲げ立体的にした受け皿の斜視図。
【図６】図４を実際に折り曲げ立体的にした受け皿の斜視図。
【図７】他にも考えられる形の受け皿、三角や四角の形の斜視図。
【図８】他にも考えられる動物の形をした受け皿の１例図
【符号の説明】
【００２２】１・垂れ防止受け皿
２・コーン
３・コーンスリーブ（薄紙）
４・折れ線（谷折り）
５・ミシン線（山折り）
６・受け皿の中心にある、コーンを入れる穴
７・コーン６の穴を基準とした廻りの壁
８・切り込み
【図１】
0003136312.tif 000003
【図２】
0003136312.tif 000004
【図３】
0003136312.tif 000005
【図４】
0003136312.tif 000006
【図５】
0003136312.tif 000007
【図６】
0003136312.tif 000008
【図７】
0003136312.tif 000009
【図８】
0003136312.tif 000010